(57)【要約】      （修正有）【課題】高強度光線の少なくとも一つの強度特性を測定するためのシステムおよび方法を提供する。【解決手段】二つの透明板に挟まれた薄膜プリズムであって、幅ｄ、および、面積を有する全内部反射（ＴＩＲ）表面を有する薄膜プリズムを含むプリズム組立体に光線を導くことと、前記光線の一部を前記ＴＩＲ表面によって積分球へ反射しつつ、前記光線の残りの部分を、前記２つの透明板を通して光線集積部へ導くことと、前記積分球によって捕捉された光線の一部を検出することと、該検出された光線から光線の強度特性を決定することと、を備える。【選択図】図１Ａ
2015042972.tif 000002
【特許請求の範囲】
【請求項１】
光線の強度特性を測定する方法であって、
二つの透明板に挟まれた薄膜プリズムであって、幅ｄ、および、面積を有する全内部反射（ＴＩＲ）表面を有する薄膜プリズムを含むプリズム組立体に光線を導くことと、
前記光線の一部を前記ＴＩＲ表面によって積分球へ反射しつつ、前記光線の残りの部分を、前記２つの透明板を通して光線集積部へ導くことと、
前記積分球によって捕捉された光線の一部を検出することと、
該検出された光線から光線の強度特性を決定することと、を備える方法。
【請求項２】
前記積分球によって捕捉された前記光線の一部を検出することが、光出力量を測定することを含み、かつ、前記検出された光線から前記光線の強度特性を決定することが、前記測定された光出力量を前記ＴＩＲ表面の面積で割ることによって強度を決定することを含む、請求項１に記載の方法。
【請求項３】
前記光線の異なる区分の強度を測定するために、上述の動作を繰り返し、前記光線の強度プロファイルを決定することをさらに備える、請求項１または２に記載の方法。
【請求項４】
前記プリズム組立体に対して前記光線を移動させ、前記光線の前記異なる区分の前記強度を測定することをさらに備える、請求項３に記載の方法。
【請求項５】
前記光線は、線画像を形成する線形成光線を有する、請求項１から４の何れか１項に記載の方法。
【請求項６】
前記薄膜プリズムは、０．０５ｍｍから１ｍｍの範囲内の幅を有している、請求項１から５の何れか１項に記載の方法。
【請求項７】
前記透明板が実質的に五角形状を有し、前記薄膜プリズムが実質的に台形状を有している、請求項１から６の何れか１項に記載の方法。
【請求項８】
前記薄膜プリズムは入力表面及び出力表面を有し、該入力表面及び出力表面は、前記光線が前記入力表面を実質的に直角に通過し、反射された前記光線の一部が前記出力表面を実質的に直角に通過するように構成されている、請求項１から７の何れか１項に記載の方法。
【請求項９】
前記薄膜プリズムの前記入力表面及び前記出力表面は反射抑制コーティングで被覆されている、請求項８に記載の方法。
【請求項１０】
前記薄膜プリズム及び前記透明板は光伝達表面を有し、該光伝達表面は、反射抑制コーティングで被覆されている、請求項１から９の何れか１項に記載の方法。
【請求項１１】
プリズム組立体に前記光線を導くことは、前記光線の焦点合わせを含み、これにより、前記ＴＩＲ表面において前記光線が実質的に集光される、請求項１から１０の何れか１項に記載の方法。
【請求項１２】
前記光線は、１０Ｗから５ｋＷの間の光出力量を有している、請求項１から１１の何れか１項に記載の方法。
【請求項１３】
光線の強度特性を測定するシステムであって、
入力側に前記光線を受光するように配置され、二つの透明板によって挟まれた薄膜プリズムを含むプリズム組立体であって、該薄膜プリズムは、幅ｄ及び全内部反射（ＴＩＲ）表面を有し、該ＴＩＲ表面は前記光線の一部を反射し、これにより前記光線の反射されない部分を規定する、プリズム組立体と、
前記プリズム組立体の第１の出力側に隣接して配置され、前記光線の反射部分を受光する積分球と、
前記プリズム組立体の第２の出力側に隣接して配置され、前記光線の非反射部分を受光するように配置された光線集積部と、
前記積分球に対して操作可能に配置され、前記積分球によって受光された光出力量を測定するように適合され、かつ、測定された光出力量を表す電気検出信号を生成する光検出部と、
前記光検出器と電気接続され、コンピュータ読み取り可能な媒体に具現化された指令を含む処理部であって、該指令は、前記光線の反射された部分の強度特性を決定させる指令である、処理部と、を備えるシステム。
【請求項１４】
前記ＴＩＲ表面は面積を有し、前記処理部は、前記測定された光出力量を前記ＴＩＲ表面の面積で割ることによって強度を決定する、請求項１３に記載のシステム。
【請求項１５】
前記薄膜プリズムの幅が０．０５ｍｍから１ｍｍの範囲内である、請求項１３または１４に記載のシステム。
【請求項１６】
前記プリズム組立体を前記光線に対して移動可能に支持する可動ステージをさらに含む、請求項１３から１５の何れか１項に記載のシステム。
【請求項１７】
前記透明板は実質的に五角形状を有し、前記薄膜プリズムは実質的に台形状を有している、請求項１３から１６の何れか１項に記載のシステム。
【請求項１８】
前記薄膜プリズムは入力表面及び出力表面を有し、該入力表面及び出力表面は、前記光線が前記入力表面を実質的に直角に通過し、反射された前記光線の一部が前記出力表面を実質的に直角に通過するように構成されている、請求項１３から１７の何れか１項に記載のシステム。
【請求項１９】
前記薄膜プリズム及び前記透明板は光伝達表面を有し、該光伝達表面は、反射抑制コーティングで被覆されている、請求項１３から１８の何れか１項に記載の方法。
【請求項２０】
前記光線は、実質的に前記ＴＩＲ表面に焦点が合わせられる、請求項１３から１９の何れか１項に記載の方法。
【請求項２１】
前記プリズム組立体に対して前記光線を走査するための手段をさらに備える、請求項１３から２０の何れか１項に記載のシステム。
【請求項２２】
前記光線は１０Ｗから５ｋＷの間の光出力量を有している、請求項１３から２１の何れか１項に記載のシステム。
【発明の詳細な説明】
【技術分野】
【０００１】
本出願の開示は、光線の強度の測定に関し、より具体的には、高強度光線の少なくとも一つの強度特性を測定するためのシステムおよび方法に関する。
【背景技術】
【０００２】
高強度（または、高光出力）の光線は、半導体基板の熱処理を含む多くの用途に使用されている。ほとんどの用途においては、明確に定義された強度プロファイルを有する高強度光線が必要とされる。例えば、レーザアニールへの適用においては、高強度光線は線画像を形成し、短軸に沿った一般的なガウス強度分布を有するとともに、長軸に沿った一般的に均一な強度分布を有する。半導体基板の熱処理に用いられる線画像用の典型的な寸法は、幅（短軸）が数百ミクロンであり、長さ（長軸）が数十ミリメートルである。このような線画像の出力量（パワー量）は、数キロワットに達する。
【０００３】
光線は、測定装置に損傷を与えるため、例えば、強度プロファイルなどの上記のような高強度線の強度特性を正確に測定することは困難である。測定装置の一つのタイプでは、画像センサ、および、高強度光線の出力レベル（パワーレベル）を妥当な（損傷を与えない）出力レベルにまで減衰する減衰器を使用している。そして、このような測定装置においては、減衰された光線をＣＣＤまたはＣＭＯＳカメラなどの光検出器に導く。
【０００４】
残念ながら、このような方法では、測定結果が著しく不正確になるという問題がある。これは、減衰に常に収差が含まれ、かつ、低出力での測定では、光線が実際に使用されている高出力で実現される強度プロファイル分布を正確に表していないことが理由である。
【０００５】
別のタイプの測定方法は、対向する羽根部によって形成された狭い開口部（例えば、スリット開口部）を通る高強度光線を走査することに基づいている。しかし、高出力密度が含まれる場合、低出力設定で測定が実施される必要がある。これにより、画像センサに基づく測定方法と本質的に同じ理由で、測定精度が低下する。一方、正確な測定結果を得るために高出力で強度プロファイルを測定しようとすると、一般的な結果として、過熱が起こり、これにより、羽根部に損傷が発生する。羽根材料の熱膨張も、スリット開口部の寸法および／または形状を変化させる可能性があり、測定に支障をきたす。低出力においても、この現象は起こりうる。
【発明の概要】
【発明が解決しようとする課題】
【０００６】
線形成光線の短軸強度プロファイルの測定は、短軸方向における走査に非常に小さなスリット、さらにはピンホールが必要とされることから、長軸の測定よりもさらに一層困難である。小さな開口部の熱膨張は、大きな開口部の熱膨張よりも起こりやすい。そのため、線形成光線の短軸に沿った強度プロファイルの測定は、通常、高度の（大幅な）減衰、あるいは、さらに低いレーザ閾値でカメラを使用して行われる。しかし、上述したように、測定精度は低下する。
【課題を解決するための手段】
【０００７】
本開示のいくつかの局面は、高強度光線の少なくとも一つの強度特性を測定することにある。強度特性の例としては、強度プロファイル（出力／少なくとも一つの空間座標の関数としての単位面積）、強度の全体量又は総量（出力／単位面積）、および、光出力（強度×面積）が挙げられる。本明細書中では、特に注記がなければ、「出力（ｐｏｗｅｒ）」との用語は「光出力」を意味する。
【０００８】
本開示の一局面は、光線の強度特性を測定する方法である。本方法は、二つの透明板に挟まれた薄膜プリズムであって、幅ｄ、および、面積を有する全内部反射（ＴＩＲ）表面を有する薄膜プリズムを含むプリズム組立体に光線を導くことと、前記光線の一部を前記ＴＩＲ表面によって積分球へ反射しつつ、前記光線の残りの部分を、前記２つの透明板を通して光線集積部（ｂｅａｍ  ｄｕｍｐ）へ送ることと、前記積分球によって捕捉された光線の一部を検出することと、該検出された光線から光線の強度特性を決定することと、を含む。
【０００９】
本開示の他の局面は、上述の方法であって、前記積分球によって捕捉された前記光線の一部を検出することは、光出力量を測定すること、および、前記検出された光線から前記光線の強度特性を決定することは、前記測定された光出力量を前記ＴＩＲ表面の面積で割ることによって強度を決定することを含む。
【００１０】
本開示の他の局面は、上述の方法であって、そこでの動作を繰り返して、前記光線の異なる区分の強度を測定し、前記光線の強度プロファイルを決定することをさらに含む。
【００１１】
本開示の他の局面は、上述の方法であって、前記光線を前記プリズム組立体に対して移動させ、前記光線の前記異なる区分の前記強度を測定することをさらに含む。
【００１２】
本開示の他の局面は、上述の方法であって、前記光線は、線画像を形成する線形成光線を含んでいる。
【００１３】
本開示の他の局面は、上述の方法であって、前記薄膜プリズムは、０．０５ｍｍから１ｍｍの範囲内の幅を有している。
【００１４】
本開示の他の局面は、上述の方法であって、前記透明板が実質的に五角形状を有し、前記薄膜プリズムが実質的に台形状を有している。
【００１５】
本開示の他の局面は、上述の方法であって、前記薄膜プリズムは入力表面及び出力表面を有し、該入力表面及び出力表面は、前記光線が前記入力表面を実質的に直角に通過し、反射された前記光線の一部が前記出力表面を実質的に直角に通過するように構成されている。
【００１６】
本開示の他の局面は、上述の方法であって、前記薄膜プリズムの前記入力表面及び前記出力表面は反射抑制（反射防止）コーティングで被覆されている。
【００１７】
本開示の他の局面は、上述の方法であって、前記薄膜プリズム及び前記透明板は光伝達表面を有し、該光伝達表面は、反射抑制コーティングで被覆されている。
【００１８】
本開示の他の局面は、上述の方法であって、プリズム組立体へ前記光線を導くことは、前記光線の焦点合わせを含み、これにより、前記ＴＩＲ表面において前記光線が実質的に集光される。
【００１９】
本開示の他の局面は、上述の方法であって、前記光線が１０Ｗから５ｋＷの間の光出力量を有している。
【００２０】
本開示の他の局面は、光線の強度特性を測定するシステムである。本システムは、入力側に前記光線を受光するように配置され、二つの透明板によって挟まれた薄膜プリズムを含むプリズム組立体であって、該薄膜プリズムは、幅ｄ及び全内部反射（ＴＩＲ）表面を有し、該ＴＩＲ表面は前記光線の一部を反射し、これにより前記光線の非反射部分を規定するプリズム組立体と、前記プリズム組立体の第１の出力側に隣接して配置され、前記光線の反射部分を受光する積分球と、前記プリズム組立体の第２の出力側に隣接して配置され、前記光線の非反射部分を受光するように配置された光線集積部と、前記積分球に対して操作可能に配置され、前記積分球が受光した光出力量を測定するように適合され、かつ、測定された光出力量を表す電気検出信号を生成する光検出部と、前記光検出器と電気的に接続され、コンピュータ読み取り可能な媒体に具現化された指令を含む処理部であって、該指令は、前記光線の反射部分の強度特性を該処理部に決定させる指令である処理部とを含む。
【００２１】
本開示の他の局面は、上述のシステムであって、前記ＴＩＲ表面は面積を有し、前記処理部は、前記測定された光出力量を前記ＴＩＲ表面の面積で割ることによって強度を決定する。
【００２２】
本開示の他の局面は、上述のシステムであって、前記薄膜プリズムの幅が０．０５ｍｍから１ｍｍ（すなわち、０．０５ｍｍ≦ｄ≦１ｍｍ）の範囲内である。
【００２３】
本開示の他の局面は、上述のシステムであって、前記プリズム組立体を前記光線に対して移動可能に支持する可動ステージをさらに含む。
【００２４】
本開示の他の局面は、上述のシステムであって、前記透明板は実質的に五角形状を有し、前記薄膜プリズムは実質的に台形状を有している。
【００２５】
本開示の他の局面は、上述のシステムであって、前記薄膜プリズムは入力表面及び出力表面を有し、該入力表面及び出力表面は、前記光線が前記入力表面を実質的に直角に通過し、反射された前記光線の一部が前記出力表面を実質的に直角に通過するように構成されている。
【００２６】
本開示の他の局面は、上述のシステムであって、前記薄膜プリズム及び前記透明板は光伝達表面を有し、該光伝達表面は、反射抑制（反射防止）コーティングで被覆されている。
【００２７】
本開示の他の局面は、上述のシステムであって、前記光線は前記ＴＩＲ表面に実質的に集光される。
【００２８】
本開示の他の局面は、上述のシステムであって、前記プリズム組立体に対して前記光線を走査するための手段をさらに含む。
【００２９】
本開示の他の局面は、上述のシステムであって、前記光線は１００Ｗから５ｋＷの間の光出力量を有している。
【００３０】
さらなる特徴及び利点は、詳細な説明に明記されている。また、それらの一部は詳細な説明の記載内容から当業者にとって直ちに明白となるか、詳細な説明、特許請求の範囲、添付図面を含む、ここに記載された発明を実施することによって認識される。上記の背景技術等に関する記載及び下記の詳細な説明に関する記載は、単なる例示であって、特許請求の範囲に記載されている本発明の本質及び特徴を理解するための概略または枠組みを提供するものであることを理解すべきである。
【図面の簡単な説明】
【００３１】
添付図面は、さらなる理解を提供するために含まれており、本明細書の一部を構成すると共に本明細書の一部に組み込まれる。図面は、１または複数の実施形態を示しており、詳細な説明と共に種々の実施形態の原理や動作を説明する役割を担う。このように、本開示は、添付図面と共に以下に示す詳細な説明からより完全に理解されることになるであろう。
【図１Ａ】図１Ａは、本開示にかかる光線強度測定システムの一例の実施形態の概略図である。
【図１Ｂ】図１Ｂは、本開示にかかる光線強度測定システムの他の例示的な実施形態の概略図である。
【図２】図２は、一例の線形成光線、および、それが一画像面に形成する集光された線画像の拡大図である。
【図３Ａ】図３Ａは、一例のプリズム組立体の分解図である。
【図３Ｂ】図３Ｂは、一例のプリズム組立体の組立図である。
【図４Ａ】図４Ａは、一例の線形成光線の光線追跡、および、前記プリズム組立体によって伝達され、反射された線形成光線の一部を含むプリズム組立体の図である。
【図４Ｂ】図４Ｂは、ＴＩＲプリズム組立体の前側に焦点を外された線画像を示すプリズム組立体の前面図である。
【図４Ｃ】図４Ｃは図４Ｂと同様の図であって、ＴＩＲプリズム組立体の前側において回転され焦点が外された線画像を示す図である。
【図５Ａ】図５Ａは、ＴＩＲプリズム組立体のプレート（板）の断面図であって、光線の一部が前記プレートを通過する様子を示す断面図である。
【図５Ｂ】図５Ｂは、ＴＩＲプリズム組立体のＴＩＲプリズムの断面図であって、光線の他の部分がＴＩＲプリズムのＴＩＲ表面によって反射される様子を示す断面図である。
【図６Ａ】図６Ａは、線形成光線によって形成された線画像の強度プロファイルの一例を示す図である。
【図６Ｂ】図６Ｂは、図６Ａと同様の図であって、線画像強度プロファイルの一部において重ね合わせられたＴＩＲプリズム組立体によって規定された溝（スロット）を示す図である。
【図７】図７は、種々の溝の幅ｄに関して、図６Ａの線画像の正確なプロファイルとともに、スロットチルト角度α＝９０°で、ｘ（ｍｍ）に対する強度（相対強度）をプロットした図である。
【図８】図８は、図６Ｂと同様の図であって、異なるスロットサイズとスロットチルト角度αを示す図である。
【図９Ａ】図９Ａは、固定されたスロット角度α＝５°及び異なるスロット幅ｄで、Ｙ（ｍｍ）に対する相対強度をプロットした図である。
【図９Ｂ】図９Ｂは、固定されたスロット幅ｄ＝０．２５ｍｍ及び異なるスロット角度αで、Ｙ（ｍｍ）に対する相対強度をプロットした図である。
【図１０Ａ】図１０Ａは、図８と同様の図であって、ｘ方向において別の走査方向の一例を示す図である。
【図１０Ｂ】図１０Ｂは、ｘ・ｔａｎ（α）に対する相対強度のプロット図であって、水平走査結果、垂直走査結果、および、正確な強度分布を示す図である。
【発明を実施するための形態】
【００３２】
〔詳細な説明〕
以降、本開示の様々な実施形態、および、添付の図面に示される複数の例について詳述する。可能な限り、同一または類似の部分の図では、同一または類似の参照番号および参照符号が用いられる。図面には決まった縮尺がなく、当業者であれば、図面は本発明の主要な部分を説明するために簡略化されていることに気づくであろう。
【００３３】
下記の特許請求の範囲の記載は、発明の詳細な説明に組み込まれると共にその一部を構成する。
【００３４】
本願で言及されるいずれの刊行物または特許文献の全開示は、参照により組み込まれる。
【００３５】
いくつかの図面において、参考のために直交座標系が描かれているが、これは特定の方向および配置方向を限定するものではない。
【００３６】
図１Ａ及び図１Ｂは、光線強度測定システム（「システム」）１０の２つの例示的な実施形態を示す概略図である。システム１０は、比較的強度の高い、あるいは、比較的光出力の高い光線（「光線」）２２を受光し、処理するように構成されている。ここで、光線とは、例えば、少なくとも１０Ｗの、さらには例えば５ｋＷまでの光出力を有する光線である。
【００３７】
図１Ａは、光線２２が形成され得る方法の一例を示す。光源１２は、光学軸Ａ１に沿って波長λの初期光線１４を放射する。光源１２は、例えば、高出力初期レーザビーム１４を放射するダイオードレーザなどのレーザを含んでもよい。高出力初期レーザビーム１４における名目上の波長λは、０．８から１ミクロンの間である。光線形成光学システム２０は、初期光線１４を受光し、レーザアニールあるいは別のタイプの材料処理など任意の用途に使用される光線２２を形成する。
【００３８】
一実施形態では、光線２２は最短距離の長さに沿った位置（すなわち、進行方向）を有する。つまり、光線２２は、図２の拡大図に示す画像面ＩＰにおいて線画像２４を形成する。図２に示す例では、光線２２は、Ｘ方向において長さＬ、Ｙ方向において幅Ｗの線画像２４を形成する、収束されたあるいは焦点合わせされた光線である。
【００３９】
以下の説明では、線形状の画像（すなわち、「線画像２４」）は、本明細書で開示されたシステム及び装置の説明を容易にするための限定されない例として用いられる。初期光線１４が線画像２４を形成するとき、本明細書では「線形成画像」として言及される。低強度光線及び画像、あるいは、他の形状の光線及び画像を含む光線及び画像の他のタイプは、類似した方法でも測定され得る。本明細書で開示されるシステム及び方法は、上述した弊害が通常避けられるという理由で、高強度光線の強度を測定するのに好都合である。
【００４０】
図１Ａを再度参照すると、システム１０は光軸Ａ１に沿って折り返しミラーＦＭを選択的に含んでもよい。折り返しミラーＦＭは、第１の折り返された光軸Ａ１’を規定してシステム１０を折り返し、システム１０をよりコンパクトにするために役立つ。一例では、折り返しミラーＦＭは、第１の折り返された光軸Ａ１’が延びる方向の調節もできるように、調整可能である。これにより、光線２２の進行方向に対するシステム１０の配置可能性に、ある程度の順応性を持たせることができる。一例では、折り返しミラーＦＭは、任意の波長λあるいは光線２２に関連した公知の波長帯Δλについての公知の反射率の量を与えるように構成されている。便宜上、折り返しミラーＦＭは、光線２２の最小の減衰のみを発生させると仮定される。
【００４１】
システム１０は、第１の折り返された光軸Ａ１’に沿ってＴＩＲプリズム組立体５０を含んでいる。ＴＩＲプリズム組立体５０については、その分解図が図３Ａに示され、その組立図が図３Ｂに示される。ＴＩＲプリズム組立体５０の一例は、５つの側面５２−５６を有している（すなわち、実質的に五角形状である）。ＴＩＲプリズム組立体５０は、一例において４つの側面５２Ｂから５５Ｂを含む薄膜平面ＴＩＲプリズム５１Ｂを含んでいる（すなわち、実質的に台形状である）。ＴＩＲプリズム５１Ｂは厚さｄを有し、一例においてその厚さｄは０．０５ｍｍから１ｍｍの範囲内であり、他の例において０．２５ｍｍから１ｍｍである。ＴＩＲプリズム５１Ｂは、２つのプレート５１Ａ及び５１Ｃの間に挟まれており、一例において２つのプレート５１Ａ及び５１Ｃは、光線２２を実質的に透過する。
【００４２】
一例では、ＴＩＲプリズム５１Ｂ、並びに、プレート５１Ａ及び５１Ｃは、シリカで形成されている。研磨及びコーティングの便宜上、プレート５１Ａ及び５１Ｃは、ＴＩＲプリズム５１Ｂと同様の形状を取り得、ＴＩＲプリズム組立体５０を形成するためにＴＩＲプリズム５１Ｂと光学的に接触または接着され得る。これにより、光線２２をある程度吸収することによってＴＩＲプリズム組立体５０に損傷をもたらすかもしれない接着剤の必要性を排除することができる。
【００４３】
一例においては、透明板５１Ａ及び５１Ｃは、５つの側面５２Ａ−５６Ａ及び５２Ｃ−５６Ｃをそれぞれ有している。一例においては、ＴＩＲプリズム組立体５０は、ＴＩＲプリズム５１Ｂの側面５５Ｂの表面が、面積Ａを有するＴＩＲプリズム表面を規定するように構成されている。その詳細については、以下に説明する。表面はまた、第２の折り返された光軸Ａ１”も規定する。
【００４４】
一例においても、ＴＩＲプリズム組立体５０は、側面５２Ａ、５２Ｂ、及び５２Ｃが端面５２において共通の平面に存在するように構成されている。ＴＩＲプリズム組立体５０は、端面５２が入力端面（入力側）を規定し、また、端面５４及び５５が第１及び第２の出力端面（出力側）を規定するように構成されている。一例では、第１の出力端面（出力側）５４及び第２の出力端面（出力側）５５は、折り返された光軸Ａ１”及びＡ１’に対してそれぞれ直角となっている。
【００４５】
再度図１Ａを参照すると、システム１０は、光線集積部８０を含んでいる。光線集積部８０は、第２の出力端面（出力側）５５に隣接する第１の折り返された光軸Ａ１’に沿って配置されている。システム１０はまた、光検出システム７０も含んでいる。光検出システム７０は、第２の折り返された光軸Ａ１”に沿って配置されている。一例において、光検出システム７０は、入力開口部７２及び内部７３を有する積分球７１を含んでいる。光検出部７４は、積分球７１の内部７３内の拡散光２２Ｄを測定するために操作可能に配置され、それに応じて、検出された拡散光２２Ｄを表す電気検出信号ＳＤを生成する。
【００４６】
図１Ｂは、ＴＩＲプリズム組立体５０を備えるシステム１０の上面図であって、図１Ａと位置合わせされた図である。さらに図１Ｂでは、符号７１Ａ及び７１Ｂで示される２つの積分球７１を用いた一実施形態を示している。積分球７１Ａは、水平走査の結果を測定するために使用される一方、積分球７１Ｂは、垂直走査中に全て内部反射される光を測定する。垂直走査では、折り返しミラーＦＭ、ＴＩＲプリズム組立体５０、及び、光線集積部８０が９０°回転する。これにより、積分球７１Ｂへの有効な全ての内部反射光の方向が自動的に変更される。一方、積分球７１Ａはこの測定の間は使用されない。
【００４７】
また、システム１０は、コンピュータの形態で示される処理部１００を含み、電気検出信号ＳＤ、ＳＤＡ、及び、ＳＤＢを受信し、処理する。一例において、処理部１００は、コンピュータ読み取り可能な媒体に具現化された指令を含む。該指令は、以下で説明するような、ある演算を処理部１００に実施させる。
【００４８】
操作方法
システム１０の操作では、光線２２は、折り返しミラーＦＭによってＴＩＲプリズム組立体５０の入力端面（入力側）５２に入射するように方向づけられるか、あるいは、直接ＴＩＲプリズム組立体５０に入射する。光線２２が収束している例では、光線２２は、ＴＩＲプリズム５１Ｂの側面５５Ｂの表面に線画像２４を形成するように焦点絞りされる。したがって、図３Ｂ及び図４Ａに最もよく示されるように、焦点がぼかされた線画像２４’は、ＴＩＲプリズム組立体５０の入力端面（入力側）５２及び第２の出力端面（出力側）５５に形成される。この状況は、ＴＩＲプリズム組立体５０の入力端面（入力側）５２及び出力端面（出力側）５５におけるエネルギー密度を減少させる利点を有している。このことは、これらの端面５２及び５５に損傷を与える可能性を減少させる。
【００４９】
ＴＩＲプリズム５１Ｂの側面５５Ｂの表面は、光線２２の比較的小さく反射された光線部２２ＢをＴＩＲ表面によって反射させるように、角度付けられている。そして、光線部２２Ｂは、第２の折り返された光軸Ａ１”に沿って進み、ＴＩＲプリズム組立体５０の第１の出力端面（出力側）５４において、側面５４Ｂを通過する。反射された光線部２２Ｂの光量は、ＴＩＲプリズム５１Ｂの幅ｄによって規定される。ＴＩＲプリズム５１Ｂは、光線部２２Ｂを（側面５２Ｂに）通過させ、その後、（ＴＩＲプリズム５１Ｂの側面５５Ｂの表面に）反射させるスロットの幅ｄを規定するものであると考えることができる。
【００５０】
光線２２の強度プロファイルを測定するために、所望とする量の光線２２がサンプリングされるまで、光線２２はＴＩＲプリズム組立体５０に対して平行移動（ｔｒａｎｓｌａｔｅ）され、光線２２の複合的な測定が実施される。この測定は、光線２２を移動することによって（図４Ｂの矢印ＡＷ１）、ＴＩＲプリズム組立体５０を移動することによって（矢印ＡＷ２）、あるいは、これらを組み合わせることによって、達成され得る。さらに、光線形成光学システム２０は、光線２２を移動させるように構成されていてもよい。またあるいは、光源１２は、初期光線１４を移動させ、これにより光線２２を移動させるように構成されていてもよい。
【００５１】
一例では、１つ以上の光源１２、光線形成光学システム２０、及び、ＴＩＲプリズム組立体５０に対して可動ステージ１２０を操作可能に配置することができ、ＴＩＲプリズム組立体５０に対して光線２２を移動させる。他の例では、ＴＩＲプリズム５１Ｂに対して光線２２を回転させるために１つ以上の可動ステージ１２０が用いられる。これにより、図４Ｃに示されるように、光線２２の異なるアジマス（発射方位）（アジマス角度αで示す）がサンプリングされ得る。
【００５２】
図５Ａは、光線２２の各部分２２Ａ及び２２Ｃが透明板５１Ａ及び５１Ｃを直接通過する様子を示す。一方、図５Ｂは、ＴＩＲプリズム５１Ｂの側面５５Ｂの表面によって反射された光線部２２Ｂが、側面５４Ｂから入力開口部７２を介して積分球７１へ導かれる様子を示す。例示的な実施形態では、光伝達を最適化するために、透明板５１Ａ及び５１Ｃの１つ以上の側面５２Ａ、５２Ｃ及び５５Ａ、５５Ｃ、並びに、ＴＩＲプリズム５１Ｂの側面５２Ｂ及び５４Ｂに、反射防止（反射抑制）コーティングＡＲが採用される。
【００５３】
強度の演算
図６Ａは、等強度線による２次元強度分布（強度プロファイル）ＩＨ＝Ｉ（ｘ、ｙ）としての線画像の一例を示す。長さＬＸ及び幅Ｗ＝ＬＹは、最小値から３番目の強度線に概ね基づいた長方形の近似値（黒、破線ＲＡ）に対応して示される。
【００５４】
図６Ｂは、図６Ａと同様の図であるが、ＴＩＲ表面によって効果的に特徴付けられるため、符号５５Ｂで表されるスリット開口部も示している。スリット開口部５５Ｂは、Ｘ−Ｙ座標系で、中心が位置（χ、η）で規定され、Ｘ軸に対する傾きがαで規定される。スリット開口部５５Ｂを通過する（あるいは、より正確にはＴＩＲプリズム５１Ｂの側面５５Ｂの表面によって反射される）線画像２４の光は、積分球７１に入射する。ここで、線画像の光２４は、拡散光２２Ｄを形成する。拡散光２２Ｄの一部は、光検出部７４で測定される。
【００５５】
測定された出力Ｐは、以下の式で与えられる。
【数１】
2015042972.tif 000003
【００５６】
出力密度ρは、これにより、Ｐ／Ａで規定されるか、あるいは、以下の式で規定される。
【数２】
2015042972.tif 000004
【００５７】
ここで、Ａは、ＴＩＲプリズム５１Ｂの側面５５Ｂの表面の上述の面積であり、Ｓは、ＴＩＲ表面の形状関数（例えば、長方形状）である。出力密度ρ（ｘ、ｙ、α）は、形状関数Ｓが小さなピンホールである場合、Ｃ・Ｉ（ｘ、ｙ）に近づく。
【００５８】
線画像２４のＸ軸（すなわち、長軸）に沿った従来の強度プロファイルの測定では、ＴＩＲプリズム５１Ｂの入力端面（入力側）５２Ｂは、Ｘ軸に垂直配向され、Ｙ軸に中心が置かれ、Ｙ軸（α＝π／２，ｙ＝０∀ｘ）に平行に走査され、線画像２４の全ての幅（短寸法）を覆う。測定結果は、長軸：ρ（ｘ，０，π／２）における分布の近似値を表す。
【００５９】
最も単純だが最も一般的な場合においては、ほとんど全ての有用な適用を表す際に、強度分布は分離可能、すなわち、
【数３】
2015042972.tif 000005
である。これにより、
【数４】
2015042972.tif 000006
となる。
【００６０】
図７は、１ｍｍ、０．７ｍｍ、０．４ｍｍのスリット幅、および、理想的な（正確な）プロファイルについて、長軸強度分布Ｉ（ｘ）をｘ（ｍｍ）に対してプロットしたものである。
【００６１】
図８は、図６Ｂと同様の図であり、スリット開口部５５ＢをＹ方向に走査した例を示す。このような走査は、等式（１）によって与えられる関数ρ（０、ｙ、α）によって表される信号を示す。
【００６２】
もし、再び
【数５】
2015042972.tif 000007
となれば、以下の式（２）のような結果が得られる。
【数６】
2015042972.tif 000008
【００６３】
これは、垂直軸における強度分布を測定するための方策を提供する。最大許容サイズｄ及びαは、測定の特定の正確性によって決定される。
【００６４】
図９Ａは、角度α＝５°及び値ｄが０．７ｍｍ、０．５ｍｍ、及び、０．２５ｍｍにおいて、相対強度Ｉ（ｙ）を、理想的なプロファイル（ｄ→０ｍｍ）とともに、ｙ（ｍｍ）に対してプロットしたものである。図９Ｂは、図９Ａと同様の図であって、値ｄが０．２５ｍｍ、及び、角度α＝７°、５°、２°において、相対強度Ｉ（ｙ）を、理想的なプロファイルとともに、Ｙ（ｍｍ）に対してプロットしたものである。
【００６５】
図９Ａ及び図９Ｂから、光線幅が約１ｍｍである場合には、スリット測定において生じるシステム誤差は比較的小さいことが明らかである。このことは、最終強度測定を考慮することを可能にする。
【００６６】
システム１０は、垂直（ｙ）走査の結果が水平（ｘ）走査から算出され得ることを認識することによって単純化され得る。このことは、測定セットアップがたった一つの移動ステージを必要とすることを意味する。これらの走査（スキャン）は、完全に同等のものであり、座標ｘを、ｘ・ｔａｎ（α）で置き換えることのみが必要となる。図１０Ａは、Ｘ方向における代替的な走査方向の例を示す。一方、図１０Ｂは、ｘ・ｔａｎ（α）に対して相対強度をプロットした例を示す。
【００６７】
当業者には明白であるが、添付の特許請求の範囲に記載される本開示の精神および範囲を逸脱することなく、ここに記述される本開示の好ましい実施形態に対して様々な修正を加えることができる。したがって、本開示は、添付の特許請求の範囲およびその均等範囲内において本開示の修正および変更を包含する。
【図１Ａ】
2015042972.tif 000009
【図１Ｂ】
2015042972.tif 000010
【図２】
2015042972.tif 000011
【図３Ａ】
2015042972.tif 000012
【図３Ｂ】
2015042972.tif 000013
【図４Ａ】
2015042972.tif 000014
【図４Ｂ】
2015042972.tif 000015
【図４Ｃ】
2015042972.tif 000016
【図５Ａ】
2015042972.tif 000017
【図５Ｂ】
2015042972.tif 000018
【図７】
2015042972.tif 000019
【図１０Ｂ】
2015042972.tif 000020
【図６Ａ】
2015042972.tif 000021
【図６Ｂ】
2015042972.tif 000022
【図８】
2015042972.tif 000023
【図９Ａ】
2015042972.tif 000024
【図９Ｂ】
2015042972.tif 000025
【図１０Ａ】
2015042972.tif 000026
【外国語明細書】
2015042972.tif 000027
2015042972.tif 000028
2015042972.tif 000029
2015042972.tif 000030
2015042972.tif 000031
2015042972.tif 000032
2015042972.tif 000033
2015042972.tif 000034
2015042972.tif 000035
2015042972.tif 000036
2015042972.tif 000037
2015042972.tif 000038
2015042972.tif 000039
2015042972.tif 000040
2015042972.tif 000041
2015042972.tif 000042
2015042972.tif 000043
1. Abstract
2015042972.tif 000044
2. Representative Drawing
Fig.1A
Fig.1A
2015042972.tif 000045
Fig.1B
2015042972.tif 000046
Fig.2
2015042972.tif 000047
Fig.3A
2015042972.tif 000048
Fig.3B
2015042972.tif 000049
Fig.4A
2015042972.tif 000050
Fig.4B
2015042972.tif 000051
Fig.4C
2015042972.tif 000052
Fig.5A
2015042972.tif 000053
Fig.5B
2015042972.tif 000054
Fig.6A
2015042972.tif 000055
Fig.6B
2015042972.tif 000056
Fig.7
2015042972.tif 000057
Fig.8
2015042972.tif 000058
Fig.9A
2015042972.tif 000059
Fig.9B
2015042972.tif 000060
Fig.10A
2015042972.tif 000061
Fig.10B
2015042972.tif 000062